(57)【要約】      （修正有）【課題】厩舎あるいは牧場の入口で一台一台の車輌を確実に消毒する防疫用消毒液自動散布装置を提供する。【解決手段】長さ約１０ｍ、幅約５ｍの長形の三つの角に高さ約２ｍの支柱を立て、入口の一本の支柱の上部に車輌の進入を検出する赤外線検出器を取り付け、出口の二本の支柱の片方の上部には車輌が通過し出て行ったことを検出するための赤外線検出器が同じく取り付けてあり、出口の支柱と底辺には消毒液を噴霧するためのノズルが縦横一列に数個取り付けてある。【選択図】図１
0003176547.tif 000002
【実用新案登録請求の範囲】
【請求項１】
本装置は長さ約１０ｍの防疫用消毒液を自動的に散布する装置で、車輌がその入口を通過するのを検出し、車輌が更に進行して、薬液噴霧装置に差し掛かったときに消毒液を車輌に吹き付ける防疫用消毒液自動散布装置。
【請求項２】
一定時間経ったか、あるいは車輌が通過したことを察知し噴霧を自動的に停止することを特徴とする請求項１記載の防疫用消毒液自動散布装置。
【考案の詳細な説明】
【技術分野】
【０００１】  口蹄疫等の防除のために厩舎あるいは牧場の入口で入構し、あるいは出構する、通過車輌に防除用の消毒液を噴霧する装置に関する。
【従来技術】
【０００２】  通常通過する車輌の消毒は通過車輌を停止させ、人が噴霧器のノズルを持ち車輌の下部やタイヤや車輌の側面をそのつど、人が消毒液を吹き付けていた。
【０００３】  これは人手が掛かり且つ確実に吹き付けられたかは、明らかではなかった。
【０００４】  従って一台一台の車輌が確実に消毒される方法が求められていた。
【考案の開示】
【考案が解決しようとする課題】
【０００５】  本考案は上記問題に鑑みてなされたものであり確実に一台一台の車輌を把握し、車輌の必要とされる部位に消毒液を噴霧する装置を提供する。
【課題を解決するための手段】
【０００６】  装置の入口上部に赤外線検出器を設置し車輌がそこを通過するのを検出し、車輌の長さやスピードを勘案し車両が消毒液噴霧ゾーン２に差し掛かったころを見計らって噴霧器のスイッチが入るようにしてある。【０００７】  噴霧器のノズル４は車輌の底部やタイヤあるいは車輌側面を吹き付けるようにセットしておく。
一定時間経つか、又は車輌が出口に差し掛かったのを検出した段階で噴霧を停止するようにしておく。
【考案の効果】
【０００８】  本考案の防疫用消毒液自動散布装置によれば、車輌１台１台を捕捉し、確実に車輌の所定の部位に消毒液を吹き付けることができる。
【技術分野】
【０００９】防疫のため車輌に消毒液を散布する装置に関する。
【実施例】
【００１０】  本考案の装置を図面に基づいて説明すると図１は装置全体を示す概念図で、出入り口部分１の上部には赤外線による車輌検出器２が取り付けてあり、車がこの前に来ると察知し、噴霧装置に信号を送る。車が進み消毒液噴霧ゾーン２に差し掛かるとノズル３が車輌の側面に、地面に設置してあるノズル４が車輌の底面あるいはタイヤに消毒液を吹き付けるようになっている。【００１１】  一定時間噴霧するとタイマーで自動的に停止するようにしておくか、あるいは出口部６の上部に取り付けてある赤外線車輌検知器７が車輌を検出して噴霧を止めるようにしておくのも良い。【００１２】  以上述べたように本考案の防疫用消毒液自動散布装置によれば人手を煩わす事無く通過車輌を検出して確実に一台一台を把握して消毒できる。
【図面の簡単な説明】
【００１３】
【図１】装置全体を示す概念図
【図２】車輌の進行方向から見た噴霧ノズル位置の詳細図
【符号の説明】
【００１４】  １    入口部分
２    消毒液散布ゾーン
３    赤外線による車輌検出器（入口）
４    消毒液噴霧ノズル（側面用）
５    消毒液噴霧ノズル（底面用）
６    消毒液散布ゾーン（出口）
７    赤外線による車輌検出器（出口）
８    消毒液噴霧ノズル（側面用）
９    消毒液噴霧ノズル（底面用）
【図１】
0003176547.tif 000003
【図２】
0003176547.tif 000004
【手続補正書】
【提出日】平成24年4月5日(2012.4.5)
【手続補正１】
【補正対象書類名】実用新案登録請求の範囲
【補正対象項目名】全文
【補正方法】変更
【補正の内容】
【実用新案登録請求の範囲】
【請求項１】
本装置は車輌に防疫用消毒液を自動的に散布する装置で、長さ約１０ｍ、幅約５ｍの長形の枠の中に車輌を導入し周りから消毒液を自動的に散布する装置で、長形の三つの角に高さ約２ｍの支柱を立て、入口の一本の支柱の上部に車輌の進入を検出する赤外線検出器を取り付け車輌を検出した後、コントローラーの出力信号でポンプが稼動しパイプを通し消毒液がノズルより散布され、出口の二本の支柱の片方の上部には車輌が通過し出て行ったことを検出するための赤外線検出器が同じく取り付けてあり、出口の支柱と底辺には消毒液を噴霧するためのノズルが縦横一列に数個取り付けてあることを特徴とする防疫用消毒液自動散布装置。
【請求項２】
車輌消毒終了時、散布停止方法として二つの方法があり、一つは車輌が区画内に進入したことを検出しポンプが作動し防疫用消毒液の散布が始まり、一定時間経過後車輌が出口を通過し終わったことを検出し噴霧を自動的に止める方法か、あるいは出口部分の支柱に検出器が取り付けられない場合、車輌が入口を通過したことを赤外線検出器が察知した後タイマー作動に切り替わり、任意に設定した時間薬液を散布しタイマー時間が経過するとコントローラーからの信号が止まり、ポンプが停止し薬液散布を自動的に終了することを特徴とする請求項１記載の防疫用消毒液自動散布装置。
【手続補正２】
【補正対象書類名】明細書
【補正対象項目名】全文
【補正方法】変更
【補正の内容】
【考案の詳細な説明】
【技術分野】
【０００１】  口蹄疫等の防除のために厩舎あるいは牧場を通過し、車輌に防疫用の消毒液を噴霧する装置に関する。
【従来技術】
【０００２】  通常通過する車輌の消毒は通過車輌を停止させ、人が噴霧器のノズルを持ち車輌の下部やタイヤや車輌の側面をそのつど、手動で消毒液を吹き付けていた。
【０００３】  これは人手が掛かり且つ確実に吹き付けられたかは、明らかではなかった。
【０００４】  従って一台一台の人手を掛けることなく車輌が確実に消毒される方法が求められていた。
【考案の開示】
【考案が解決しようとする課題】
【０００５】  本考案は上記問題に鑑みてなされたものであり確実に一台一台の車輌を把握し、車輌の必要とされる部位に消毒液を噴霧する装置を提供する。
【課題を解決するための手段】
【０００６】  装置の入口上部に赤外線検出器を設置し、車輌の長さやスピードを勘案して車輌がそこを通過するのを検出すると同時に、コントローラーからの信号により噴霧器のスイッチが入るようにしてある。【０００７】  噴霧器のノズルは車輌の底部やタイヤあるいは車輌側面に吹き付けるようセットしておく。一定時間経つか、又は車輌が出口に差し掛かったのを検出した段階で噴霧を停止するようにしておく。
【考案の効果】
【０００８】  本考案の防疫用消毒液自動散布装置によれば、車輌１台１台を捕捉し、確実に車輌の所定の部位に消毒液を吹き付けることができる。
【技術分野】
【０００９】  削除
【実施例】
【００１０】  本考案の装置を図面に基づいて説明すると図１は装置全体を示す概念図で、入口部分１の上部には赤外線による車輌検出器３が取り付けてあり、車がこの前に来ると察知し、コントローラー２より配線１０を通し信号が送られ消毒液噴霧用ポンプ４が作動する。車が進み消毒液散布ゾーン６に差し掛かると消毒液噴霧ノズル８が車輌の側面に、地面に設置してある消毒液噴霧ノズル９が車輌の底面あるいはタイヤに消毒液噴霧用パイプ５を通し消毒液を吹き付けるようになっている。【００１１】散布停止方法として二つあり、一つは出口に検出器が取り付けられない場所では入口部分１で車輌検出器３が車輌を検出すると、コントローラー２内に設置したタイマーが作動し任意に設定した時間散布し、タイマー設定時間が経過するとコントローラー２からの信号が止まり、自動的に散布が停止する方法と、もう一つは出口部消毒液散布ゾーン６の上部に取り付けてある赤外線車輌検出器７が車輌を検出し、車輌が消毒液散布ゾーン６を通過し終わった時点で自動的に散布を停止する方法がある。
【産業上の利用の可能性】
【００１２】  以上述べたように本考案の防疫用消毒液自動散布装置によれば人手を煩わす事無く通過車輌を検出して確実に一台一台を把握して消毒できる。
【図面の簡単な説明】
【００１３】
【図１】装置全体を示す概念図
【符号の説明】
【００１４】  １  入口部分  ２  コントローラー  ３  赤外線による車輌検出器（入口）  ４  消毒液噴霧用ポンプ  ５  消毒液噴霧用パイプ  ６  消毒液散布ゾーン  ７  赤外線による車輌検出器（出口）  ８  消毒液噴霧ノズル（側面用）  ９  消毒液噴霧ノズル（底面用）１０  配線
【手続補正３】
【補正対象書類名】図面
【補正対象項目名】全図
【補正方法】変更
【補正の内容】
【図１】
0003176547.tif 000005